(57)【要約】インテリジェント乾燥方法及び紫外線消毒容器であって、該方法は、紫外線消毒容器に適用され、被消毒物を乾燥させ、該方法は、乾燥命令を受信すると、前記消毒容器は、物品収納室に熱風を放出するステップと、乾燥初期時間に達すると、前記物品収納室の室内温度を収集するステップと、前記室内温度に対応する乾燥延長時間を自動的に取得するステップと、前記乾燥延長時間に達するまで、前記物品収納室に熱風を継続的に放出するステップと、を順に実行するステップを含む。該紫外線消毒容器は、物品収納室、加熱ダクト、マイクロプロセッサ、及び前記マイクロプロセッサが実行可能なコンピュータ可読プログラムを記憶するメモリを備え、前記コンピュータ可読プログラムが前記マイクロプロセッサに実行されると、前記消毒容器は上記ステップを実行する。本発明は二段階乾燥を採用し、ソフトウェアによって乾燥時間を適応的に決定し、エネルギーを浪費せずに被消毒物を正確に乾燥させることができる。また、コスト増加を回避できる。
2021521401.tif 000002
【特許請求の範囲】
【請求項１】
紫外線消毒容器に適用され、被消毒物を乾燥させるインテリジェント乾燥方法であって、乾燥命令を受信すると、前記消毒容器は、
物品収納室に熱風を放出するステップと、
乾燥初期時間に達すると、前記物品収納室の室内温度を収集するステップと、
前記室内温度に対応する乾燥延長時間を自動的に取得するステップと、
前記乾燥延長時間に達するまで、前記物品収納室に熱風を継続的に放出するステップと、を順に実行するステップを含むインテリジェント乾燥方法。
【請求項２】
前記した物品収納室に熱風を放出するステップでは、前記物品収納室の空気が吸込み口から前記物品収納室の壁内の空気通路に入り、前記空気通路内で加熱された後、吹出口から前記物品収納室に戻る内部循環方式を採用することを特徴とする請求項1に記載のインテリジェント乾燥方法。
【請求項３】
前記乾燥初期時間は30分間〜90分間の間の任意の数値であることを特徴とする請求項1に記載のインテリジェント乾燥方法。
【請求項４】
前記した前記室内温度に対応する乾燥延長時間を自動的に取得するステップでは、前記乾燥延長時間は4種類を含み、各乾燥延長時間と室内温度との対応関係は、
室内温度33℃未満----乾燥延長時間90分間、
室内温度33-40℃----乾燥延長時間60分間、
室内温度40-44℃----乾燥延長時間30分間、
室内温度44℃超え----乾燥延長時間0分間であることを特徴とする請求項3に記載のインテリジェント乾燥方法。
【請求項５】
被消毒物を収納する物品収納室と、
前記物品収納室に熱風を放出する加熱ダクトと、
前記加熱ダクトに電気的に接続されるマイクロプロセッサと、
前記マイクロプロセッサが実行可能なコンピュータ可読プログラムを記憶するメモリと、を備える紫外線消毒容器であって、
前記コンピュータ可読プログラムが前記マイクロプロセッサに実行されると、前記消毒容器は請求項1に記載のインテリジェント乾燥方法のステップを実行することを特徴とする紫外線消毒容器。
【請求項６】
前記加熱ダクトは内部循環式加熱ダクトであり、前記内部循環式加熱ダクトは、
前記物品収納室と、
前記物品収納室の壁に設けられ、前記物品収納室と連通する吹出口と、
前記物品収納室の壁に設けられ、前記物品収納室と連通する吸込み口と、
前記物品収納室の壁の内部に設置され、前記吹出口及び前記吸込み口と連通する空気通路と、
前記空気通路内に取り付けられるファン及び電気発熱体と、を備え、
前記物品収納室から順に前記吸込み口、前記空気通路、前記ファン及び電気発熱体、前記吹出口を経由して前記物品収納室に戻り、内部循環式加熱ダクトを形成することを特徴とする請求項5に記載の紫外線消毒容器。
【請求項７】
前記吹出口と前記吸込み口はそれぞれ前記物品収納室の隣接する壁に設けられることを特徴とする請求項6に記載の紫外線消毒容器。
【請求項８】
前記内部循環式加熱ダクトは2つの前記吸込み口を有し、2つの前記吸込み口がそれぞれ前記物品収納室の対向する2つの壁に設けられることを特徴とする請求項7に記載の紫外線消毒容器。
【請求項９】
前記吹出口と前記吸込み口はともにアレイ状に分布した複数の小孔であることを特徴とする請求項6に記載の紫外線消毒容器。
【請求項１０】
前記電気発熱体は抵抗線と、くり抜き部を有するシート状の骨格とを備え、前記抵抗線は前記骨格に疎巻きされ、且つ前記くり抜き部に網状構造が形成されることを特徴とする請求項6に記載の紫外線消毒容器。
【発明の詳細な説明】
【技術分野】
【０００１】
本発明は消毒の技術分野に関し、特に紫外線消毒容器に適用され、被消毒物を乾燥させるインテリジェント乾燥方法、及び該インテリジェント乾燥方法を用いた紫外線消毒容器に関する。
【背景技術】
【０００２】
紫外線は優れた殺菌効果を持ち、消毒分野に幅広く用いられている。紫外線消毒容器は紫外線の消毒分野における主な用途の1つである。紫外線消毒容器の消毒方式は発光装置で物品収納室に紫外線を放出し、紫外線を直接被消毒物に照射し、被消毒物の表面の細菌を殺滅して、消毒目的を達成することである。
【０００３】
被消毒物上に水が残留することが多く、残留した水を自動的に除去するために、ポータブル紫外線消毒容器は加熱ダクトが配置されており、加熱ダクトによって収納空間に熱風を自動的に放出し、被消毒物を乾燥させる。従来の乾燥方法は加熱ダクトを一定時間動作させるように制御する。該乾燥方法は以下の欠陥がある。1、乾燥の信頼性が低く、且つエネルギー浪費を招いてしまう。環境温度、被消毒物の数等の要素の影響によって、被消毒物が完全乾燥されていない場合もあれば、被消毒物が乾燥後でも乾燥し続ける場合もあり、すなわち、「乾燥不足」と「過乾燥」の現象があり、「過乾燥」の場合、エネルギー浪費につながる。2、乾燥に影響を与える様々な要素を監視する複数種のセンサを増設する場合、コストが大幅に向上する。
【発明の概要】
【０００４】
本発明は、コストを追加することなく一定乾燥時間による「乾燥不足」問題と「過乾燥」問題を解決するインテリジェント乾燥方法及び紫外線消毒容器を提供することを目的とする。
【０００５】
上記目的を達成するために、本発明の技術案は以下の通りである。
【０００６】
インテリジェント乾燥方法であって、紫外線消毒容器に適用され、被消毒物を乾燥させ、前記インテリジェント乾燥方法は、乾燥命令を受信すると、前記消毒容器は、
物品収納室に熱風を放出するステップと、
乾燥初期時間に達すると、前記物品収納室の室内温度を収集するステップと、
前記室内温度に対応する乾燥延長時間を自動的に取得するステップと、
前記乾燥延長時間に達するまで、前記物品収納室に熱風を継続的に放出するステップと、を順に実行するステップを含む。
【０００７】
好ましくは、前記した物品収納室に熱風を放出するステップでは、前記物品収納室の空気が吸込み口から前記物品収納室の壁内の空気通路に入り、前記空気通路内で加熱された後、吹出口から前記物品収納室に戻る内部循環方式を採用する。
【０００８】
好ましくは、前記乾燥初期時間は30分間〜90分間の間の任意の数値である。
【０００９】
好ましくは、前記した前記室内温度に対応する乾燥延長時間を自動的に取得するステップでは、前記乾燥延長時間は4種類を含み、各乾燥延長時間と室内温度との対応関係は、
室内温度33℃未満----乾燥延長時間90分間、
室内温度33-40℃----乾燥延長時間60分間、
室内温度40-44℃----乾燥延長時間30分間、
室内温度44℃超え----乾燥延長時間0分間である。
【００１０】
紫外線消毒容器であって、被消毒物を収納する物品収納室と、前記物品収納室に熱風を放出する加熱ダクトと、前記加熱ダクトに電気的に接続されるマイクロプロセッサと、前記マイクロプロセッサが実行可能なコンピュータ可読プログラムを記憶するメモリと、を備え、前記コンピュータ可読プログラムが前記マイクロプロセッサに実行されると、前記消毒容器は上記インテリジェント乾燥方法のステップを実行する。
【００１１】
好ましくは、前記加熱ダクトは内部循環式加熱ダクトであり、前記内部循環式加熱ダクトは、前記物品収納室と、前記物品収納室の壁に設けられ、前記物品収納室と連通する吹出口と、前記物品収納室の壁に設けられ、前記物品収納室と連通する吸込み口と、前記物品収納室の壁の内部に設置され、前記吹出口及び前記吸込み口と連通する空気通路と、前記空気通路内に取り付けられるファン及び電気発熱体と、を備え、前記物品収納室から順に前記吸込み口、前記空気通路、前記ファン及び電気発熱体、前記吹出口を経由して前記物品収納室に戻り、内部循環式加熱ダクトを形成する。
【００１２】
好ましくは、前記吹出口と前記吸込み口はそれぞれ前記物品収納室の隣接する壁に設けられる。
【００１３】
好ましくは、前記内部循環式加熱ダクトは2つの前記吸込み口を有し、2つの前記吸込み口がそれぞれ前記物品収納室の対向する2つの壁に設けられる。
【００１４】
好ましくは、前記吹出口と前記吸込み口はともにアレイ状に分布した複数の小孔である。
【００１５】
好ましくは、前記電気発熱体は抵抗線と、くり抜き部を有するシート状の骨格とを備え、前記抵抗線は前記骨格に疎巻きされ、且つ前記くり抜き部に網状構造が形成される。
【００１６】
従来技術に比べて、本発明は少なくとも以下の有益な効果を有する。
【００１７】
二段階乾燥を採用し、ソフトウェアによって乾燥時間を適応的に決定し、エネルギーを浪費せずに被消毒物を正確に乾燥させることができる。また、センサ及び関連回路を別途設置する必要がないため、コスト増加を回避できる。
【図面の簡単な説明】
【００１８】
【図１】図1はインテリジェント乾燥方法のフローチャートである。
【図２】図2は消毒容器の物品収納室、照明装置及び加熱ダクトの構成模式図である。
【図３】図3は加熱ダクトにおけるファン及び空気通路の模式図である。
【図４】図4は電気発熱体の構成模式図である。
【発明を実施するための形態】
【００１９】
以下、図面及び実施例を参照して本発明をさらに説明する。
【００２０】
本インテリジェント乾燥方法は、紫外線消毒容器に適用され、被消毒物を乾燥させる。
【００２１】
図1に示すように、本インテリジェント乾燥方法は、乾燥命令を受信すると、消毒容器は以下のステップを順に実行するステップを含む。
【００２２】
ステップS1、物品収納室に熱風を放出する。
【００２３】
ステップS2、乾燥初期時間に達すると、前記物品収納室の室内温度を収集する。乾燥初期時間は、予め設定された時間値であり、30分間〜90分間の間の任意の数値であることが好ましいが、それに限定されない。
【００２４】
ステップS3、前記室内温度に対応する乾燥延長時間を自動的に取得する。
【００２５】
例示的な実施例では、乾燥初期時間は60分間とされ、乾燥延長時間は乾燥初期時間に達する時の室内温度に応じて、4段に分けられ、すなわち、室内温度が33℃以下の場合、乾燥延長時間は90分間であり、室内温度が33-40℃の場合、乾燥延長時間は60分間であり、室内温度が40-44℃の場合、乾燥延長時間は30分間であり、室内温度が44℃以上の場合、乾燥延長時間は0分間である。
【００２６】
なお、上記段数、具体的な温度値及び時間値は例示的な実施例の1つであり、これらの値は必要に応じて柔軟に設定でき、これらの値は応用時、被消毒物をちょうど乾燥できるように、事前実験が必要である。段数が多いほど、制御精度が高いが、その分演算の複雑さが増えてしまう。
【００２７】
ステップS4、前記乾燥延長時間に達するまで、前記物品収納室に熱風を継続的に放出する。
【００２８】
以上からわかるように、上記インテリジェント乾燥方法は二段階乾燥を採用し、ソフトウェアによって乾燥時間を適応的に決定し、エネルギーを浪費せずに被消毒物を正確に乾燥させることができる。また、センサ及び関連回路を別途設置する必要がないため、コスト増加を回避できる。
【００２９】
さらに、前記した物品収納室に熱風を放出するステップでは、前記物品収納室の空気が吸込み口から前記物品収納室の壁内の空気通路に入り、前記空気通路内で加熱された後、吹出口から前記物品収納室に戻る内部循環方式を採用する。このようにして、循環する空気は熱空気であり、少量のエネルギーだけで空気を所要の温度まで加熱でき、それによりさらにエネルギーを節約することができる。
【００３０】
さらに、前記乾燥初期時間は30分間〜90分間の間の任意の数値である。該時間内に、「過乾燥」現象が発生しないだけでなく、十分な乾燥時間によって推定がより正確になる。
【００３１】
さらに、前記した前記室内温度に対応する乾燥延長時間を自動的に取得するステップでは、前記乾燥延長時間は4種類を含み、各乾燥延長時間と室内温度との対応関係は、室内温度33℃未満----乾燥延長時間90分間、室内温度33-40℃----乾燥延長時間60分間、室内温度40-44℃----乾燥延長時間30分間、室内温度44℃超え----乾燥延長時間0分間である。4段にすることで、制御精度が高いだけでなく、演算が簡単である。
【００３２】
図2、図3に示すように、本紫外線消毒容器は、被消毒物を収納する物品収納室1と、前記物品収納室1の壁に設置され、前記物品収納室1に紫外線（消毒媒体）を放出する照明装置6と、前記物品収納室1の壁に設置され、前記物品収納室1に熱風を放出する加熱ダクトと、を備える。
【００３３】
前記加熱ダクトは内部循環式加熱ダクトであり、前記内部循環式加熱ダクトは、前記物品収納室1と、前記物品収納室1の壁に設けられ、前記物品収納室1と連通する吹出口3と、前記物品収納室1の壁に設けられ、前記物品収納室1と連通する吸込み口2と、前記物品収納室1の壁の内部に設置され、前記吹出口3及び前記吸込み口2と連通する空気通路7と、前記空気通路7内に取り付けられるファン7’及び電気発熱体8（図4参照）と、を備え、前記物品収納室1から順に前記吸込み口2、前記空気通路7、前記ファン7’及び電気発熱体8、前記吹出口3を経由して前記物品収納室1に戻り、内部循環式加熱ダクトを形成する。このようにして、乾燥時、環境空気の導入がなく、循環空気が熱空気であり、少ないエネルギーだけで空気を所要の温度まで加熱でき、乾燥によって消費されるエネルギーを節約できる。
【００３４】
本紫外線消毒容器は、前記加熱ダクトに電気的に接続されるマイクロプロセッサ（図示せず）と、前記マイクロプロセッサが実行可能なコンピュータ可読プログラムを記憶するメモリと、をさらに備え、前記コンピュータ可読プログラムが前記マイクロプロセッサに実行されると、前記消毒容器は上記インテリジェント乾燥方法のステップを実行する。前記メモリは前記マイクロプロセッサのオンチップメモリであってもよく、外部メモリであってもよい。
【００３５】
さらに、前記吹出口3と前記吸込み口2はそれぞれ前記物品収納室1の隣接する壁に設けられる。ファン7’の動作時、吸込み口2で負圧を発生させ、該負圧は物品収納室1内の空気に作用し、空気の拡散を促進する。吹出口と吸込み口が同一側と対向側に設けられることに比べて、本実施例に係る位置設計は吹出口から物品収納室に入る空気をよりよく拡散させることができる。
【００３６】
さらに、前記内部循環式加熱ダクトは2つの前記吸込み口2を有し、2つの前記吸込み口2がそれぞれ前記物品収納室1の対向する2つの壁に設けられる。片側のみに吸込み口が設けられることに比べて、対向する2つの側壁にそれぞれ吸込み口が設けられるような設計は、物品収納室内の空気の拡散効果を向上させることができる。
【００３７】
さらに、前記吹出口3と前記吸込み口2はともにアレイ状に分布した複数の小孔である。1つの大孔に比べて、アレイ状に分布した複数の小孔は通過する空気を分散させ、物体が該吹出口と吸込み口を貫通することを回避できる。
【００３８】
さらに、図4に示すように、前記電気発熱体8は抵抗線10と、くり抜き部11を有するシート状の骨格9とを備え、前記抵抗線10は前記骨格9に疎巻きされ、前記くり抜き部11に網状構造が形成される。このような電気発熱体を用いると、容易にファン7’の端部に固定でき、電気発熱体の取り付けが非常に容易である。また、空気が前記網状構造を通過可能であることで、空気と電気発熱体との接触面積を効果的に増加させ、流動空気を素早く効率的に加熱できる。
【００３９】
本消毒容器はポータブル紫外線消毒容器であり、家庭用だけでなく、職場や外出時にも使用できる。その消毒容器本体4に取っ手5が設置されている。
【００４０】
以上、具体的な実施例を参照して本発明を詳細に説明したが、これらの詳細な説明は当業者が本発明の内容を理解するためのものに過ぎず、本発明の保護範囲を限定するものではない。当業者が本発明の発想を逸脱せずに上記技術案に対して行う種々の修飾、同等置換等はすべて本発明の保護範囲内に含まれる。
【符号の説明】
【００４１】
1、物品収納室；2、吸込み口；3、吹出口；4、消毒容器本体；5、取っ手；6、照明装置（紫外線LED）;7、空気通路；7’、ファン；8、電気発熱体；9、骨格；10、抵抗線；11、くり抜き部。
【図１】
2021521401.tif 000003
【図２】
2021521401.tif 000004
【図３】
2021521401.tif 000005
【図４】
2021521401.tif 000006
【国際調査報告】
2021521401.tif 000007
2021521401.tif 000008
2021521401.tif 000009
2021521401.tif 000010
2021521401.tif 000011
2021521401.tif 000012